(57)【要約】【解決手段】本発明は、フレキシブルディスプレイパネル（１００）及び装置を提供するものである。データ接続タッチライン（１０２）がカメラモジュール（１０３）を迂回してカメラモジュール（１０３）の両側のデータ線（１０１）に接続されることで、非表示領域での発光表示を実現することができ、フレキシブルディスプレイパネル（１００）の発光表示面積率を増加させることができる。【選択図】図１
2020528161.tif 000002
【特許請求の範囲】
【請求項１】
データ信号を供給するのに用いられるデータ駆動チップと、
走査信号を供給するのに用いられる走査駆動チップと、
タッチ信号を供給するのに用いられるタッチ駆動チップと、
前記タッチ信号を伝送するのに用いられるタッチラインと、
第１方向に沿って配置され、前記データ信号を伝送するのに用いられるデータ線と、
第２方向に沿って配置され、前記走査信号を伝送するのに用いられる走査線と、
前記データ線と前記走査線が交差することで形成された複数のピクセルユニットと、
前記複数のピクセルユニットの間に配置されたカメラモジュールと、
第１コンタクトホールと、
第２コンタクトホールと、を包含するフレキシブルディスプレイパネルであって、
前記タッチラインは、前記カメラモジュールの周囲に配置されたデータ接続タッチラインを含んでおり、前記データ接続タッチラインの一端は、前記第１コンタクトホールを介して、前記カメラモジュールの第１方向における一側の前記データ線に接続されており、前記データ接続タッチラインの他端は、前記第２コンタクトホールを介して、前記カメラモジュールの第１方向における他側の対応する前記データ線に接続されており、
前記走査駆動チップは、第１走査駆動サブチップと第２走査駆動サブチップとを含んでおり、前記第１走査駆動サブチップは、前記カメラモジュールの第２方向における一側の前記走査線に走査信号を供給するのに用いられ、前記第２走査駆動サブチップは、前記カメラモジュールの第２方向における他側の走査線に走査信号を供給するのに用いられ、
前記第１方向は前記第２方向と互いに垂直であることを特徴とするフレキシブルディスプレイパネル。
【請求項２】
前記第１コンタクトホールの深さは、前記データ線と前記タッチラインとの間の垂直距離に等しいことを特徴とする請求項１に記載のフレキシブルディスプレイパネル。
【請求項３】
前記第２コンタクトホールの深さは、前記データ線と前記タッチラインとの間の垂直距離に等しいことを特徴とする請求項２に記載のフレキシブルディスプレイパネル。
【請求項４】
データ信号を供給するのに用いられるデータ駆動チップと、
走査信号を供給するのに用いられる走査駆動チップと、
タッチ信号を供給するのに用いられるタッチ駆動チップと、
前記タッチ信号を伝送するのに用いられるタッチラインと、
第１方向に沿って配置され、前記データ信号を伝送するのに用いられるデータ線と、
第２方向に沿って配置され、前記走査信号を伝送するのに用いられる走査線と、
前記データ線と前記走査線が交差することで形成された複数のピクセルユニットと、
前記複数のピクセルユニットの間に配置されたカメラモジュールと、を包含するフレキシブルディスプレイパネルであって、
前記タッチラインは、前記カメラモジュールの周囲に配置されたデータ接続タッチラインを含んでおり、前記データ接続タッチラインの一端は、前記カメラモジュールの第１方向における一側の前記データ線に接続されており、前記データ接続タッチラインの他端は、前記カメラモジュールの第１方向における他側の対応する前記データ線に接続されており、
前記走査駆動チップは、第１走査駆動サブチップと第２走査駆動サブチップとを含んでおり、前記第１走査駆動サブチップは、前記カメラモジュールの第２方向における一側の前記走査線に走査信号を供給するのに用いられ、前記第２走査駆動サブチップは、前記カメラモジュールの第２方向における他側の走査線に走査信号を供給するのに用いられることを特徴とするフレキシブルディスプレイパネル。
【請求項５】
第１コンタクトホールと第２コンタクトホールとをさらに包含し、
前記データ接続タッチラインの一端は、前記第１コンタクトホールを介して、前記カメラモジュールの第１方向における一側の前記データ線に接続されており、前記データ接続タッチラインの他端は、前記第２コンタクトホールを介して、前記カメラモジュールの第１方向における他側の対応する前記データ線に接続されていることを特徴とする請求項４に記載のフレキシブルディスプレイパネル。
【請求項６】
前記第１コンタクトホールの深さは、前記データ線と前記タッチラインとの間の垂直距離に等しいことを特徴とする請求項５に記載のフレキシブルディスプレイパネル。
【請求項７】
前記第２コンタクトホールの深さは、前記データ線と前記タッチラインとの間の垂直距離に等しいことを特徴とする請求項６に記載のフレキシブルディスプレイパネル。
【請求項８】
前記第１方向は前記第２方向と互いに垂直であることを特徴とする請求項４に記載のフレキシブルディスプレイパネル。
【請求項９】
フリップチップ薄膜をさらに包含し、
前記フリップチップ薄膜は前記データ線の一側に接続されていることを特徴とする請求項４に記載のフレキシブルディスプレイパネル。
【請求項１０】
フリップチップ薄膜をさらに包含し、
前記フリップチップ薄膜は前記データ線の一側に接続されていることを特徴とする請求項５に記載のフレキシブルディスプレイパネル。
【請求項１１】
フリップチップ薄膜をさらに包含し、
前記フリップチップ薄膜は前記データ線の一側に接続されていることを特徴とする請求項６に記載のフレキシブルディスプレイパネル。
【請求項１２】
フリップチップ薄膜をさらに包含し、
前記フリップチップ薄膜は前記データ線の一側に接続されていることを特徴とする請求項７に記載のフレキシブルディスプレイパネル。
【請求項１３】
フリップチップ薄膜をさらに包含し、
前記フリップチップ薄膜は前記データ線の一側に接続されていることを特徴とする請求項８に記載のフレキシブルディスプレイパネル。
【請求項１４】
前記タッチラインの表面に薄膜層が被覆されていることを特徴とする請求項４に記載のフレキシブルディスプレイパネル。
【請求項１５】
前記薄膜層はエポキシ樹脂であることを特徴とする請求項１４に記載のフレキシブルディスプレイパネル。
【請求項１６】
前記データ駆動チップは前記フリップチップ薄膜中に封止されていることを特徴とする請求項１３に記載のフレキシブルディスプレイパネル。
【請求項１７】
請求項４に記載のフレキシブルディスプレイパネルを包含することを特徴とするフレキシブルディスプレイ装置。
【発明の詳細な説明】
【技術分野】
【０００１】
本発明は、光学ディスプレイ技術の分野に関するものであり、特にフレキシブルディスプレイパネル及び装置に関するものである。
【背景技術】
【０００２】
表示技術の弛まぬ発展に伴い、端末ディスプレイに対する人々の要求もますます高まっており、フレキシブルディスプレイパネルも普及しつつある。フレキシブルディスプレイパネルは、湾曲可能、カール可能、低消費電力、小型、表示方式が多様である等の利点を有しているため、人々から重宝されている。
【０００３】
従来のフレキシブルディスプレイパネルは通常、基板上に表示領域と非表示領域とを有し、表示領域は発光表示の機能を備えており、非表示領域にはカメラ機器が配置されている。カメラ付きの非表示領域では発光表示機能を実現できないため、フレキシブルディスプレイパネルの発光表示面積率は低いものとなっていた。
【発明の概要】
【発明が解決しようとする課題】
【０００４】
本発明の実施形態は、フレキシブルディスプレイパネル及び装置を提供するもので、フレキシブルディスプレイパネルの発光表示面積率を増加させることを可能としている。
【課題を解決するための手段】
【０００５】
本発明の実施形態はフレキシブルディスプレイパネルを提供し、当該フレキシブルディスプレイパネルは、
【０００６】
データ信号を供給するのに用いられるデータ駆動チップと、
【０００７】
走査信号を供給するのに用いられる走査駆動チップと、
【０００８】
タッチ信号を供給するのに用いられるタッチ駆動チップと、
【０００９】
前記タッチ信号を伝送するのに用いられるタッチラインと、
【００１０】
第１方向に沿って配置され、前記データ信号を伝送するのに用いられるデータ線と、
【００１１】
第２方向に沿って配置され、前記走査信号を伝送するのに用いられる走査線と、
【００１２】
前記データ線と前記走査線が交差することで形成された複数のピクセルユニットと、
【００１３】
前記複数のピクセルユニットの間に配置されたカメラモジュールと、
【００１４】
第１コンタクトホールと第２コンタクトホールと、を包含しており、
【００１５】
前記タッチラインは、前記カメラモジュールの周囲に配置されたデータ接続タッチラインを含んでおり、前記データ接続タッチラインの一端は、前記第１コンタクトホールを介して、前記カメラモジュールの第１方向における一側の前記データ線に接続されており、前記データ接続タッチラインの他端は、前記第２コンタクトホールを介して、前記カメラモジュールの第１方向における他側の対応する前記データ線に接続されており、
【００１６】
前記走査駆動チップは、第１走査駆動サブチップと第２走査駆動サブチップとを含んでおり、前記第１走査駆動サブチップは、前記カメラモジュールの第２方向における一側の前記走査線に走査信号を供給するのに用いられ、前記第２走査駆動サブチップは、前記カメラモジュールの第２方向における他側の走査線に走査信号を供給するのに用いられ、
前記第１方向は前記第２方向と互いに垂直である。
【００１７】
本発明の実施形態はフレキシブルディスプレイパネルをさらに提供し、当該フレキシブルディスプレイパネルは、
【００１８】
データ信号を供給するのに用いられるデータ駆動チップと、
【００１９】
走査信号を供給するのに用いられる走査駆動チップと、
【００２０】
タッチ信号を供給するのに用いられるタッチ駆動チップと、
【００２１】
前記タッチ信号を伝送するのに用いられるタッチラインと、
【００２２】
第１方向に沿って配置され、前記データ信号を伝送するのに用いられるデータ線と、
【００２３】
第２方向に沿って配置され、前記走査信号を伝送するのに用いられる走査線と、
【００２４】
前記データ線と前記走査線が交差することで形成された複数のピクセルユニットと、
【００２５】
前記複数のピクセルユニットの間に配置されたカメラモジュールと、を包含しており、
【００２６】
前記タッチラインは、前記カメラモジュールの周囲に配置されたデータ接続タッチラインを含んでおり、前記データ接続タッチラインの一端は、前記カメラモジュールの第１方向における一側の前記データ線に接続されており、前記データ接続タッチラインの他端は、前記カメラモジュールの第１方向における他側の対応する前記データ線に接続されており、
【００２７】
前記走査駆動チップは、第１走査駆動サブチップと第２走査駆動サブチップとを含んでおり、前記第１走査駆動サブチップは、前記カメラモジュールの第２方向における一側の前記走査線に走査信号を供給するのに用いられ、前記第２走査駆動サブチップは、前記カメラモジュールの第２方向における他側の走査線に走査信号を供給するのに用いられる。
【００２８】
本発明の実施形態はさらにフレキシブルディスプレイ装置を提供し、当該フレキシブルディスプレイ装置は上記フレキシブルディスプレイパネルを包含する。
【発明の効果】
【００２９】
本発明の提供するフレキシブルディスプレイパネル及び装置において、データ接続タッチラインがカメラモジュールを迂回してカメラモジュールの両側のデータ線に接続されることで、非表示領域での発光表示を実現することができ、フレキシブルディスプレイパネルの発光表示面積率を増加させることができる。
【図面の簡単な説明】
【００３０】
【図１】本発明の実施形態が提供するフレキシブルディスプレイパネルの構造を示す図である。
【図２】本発明の実施形態が提供するフレキシブルディスプレイパネルの断面図である。
【発明を実施するための形態】
【００３１】
添付の図面中の図式を参照されたい。ここで、同一の符号は同一の構成要素を示しており、本発明の原理については、適切な環境での実施を例にとり説明する。以下の説明は、例示された本発明に係る具体的な実施形態に基づいたものであり、ここで詳述されていない本発明に係る他の具体的な実施形態を限定するとみなされるべきではない。
【００３２】
本明細書で用いられている用語「実施形態」は、実施例、例示、又は実例を意味する。さらに、本明細書及び特許請求の範囲で用いられている冠詞「一」は、特に断りのない限り、又は文脈から単数表現であると明らかに導出できない限り、通常「一又は複数の」を意味すると解釈され得る。
【００３３】
本発明の記述で理解すべき点として、用語「中心」、「縦」、「横」、「長さ」、「幅」、「厚さ」、「上」、「下」、「前」、「後」、「左」、「右」、「垂直」、「水平」、「頂」、「底」、「内」、「外」、「時計回り」、「反時計回り」等が示す方向又は位置関係は添付の図面における方向又は位置関係に基づくものであり、これらは、本発明の説明及び説明の簡略化に供するためのものにすぎず、所定の装置又は構成要素が特定の方向を有し、特定の方向で構成され、操作されるべきことを示し又は暗示するものではないため、本発明を限定すると解釈すべきではない。
【００３４】
本発明の記述で理解すべき点として、特に明確な規定及び限定がない限り、用語「取り付け」、「連結」、「接続」は広義に理解されるべきであり、例えば、固定接続でも、取り外し可能な接続でも、又は一体的な接続であってもよい；機械的な接続でも、電気的な接続でも、又は相互に通信のできるものであってもよい；直接連結でも、中間媒体を介した間接的な連結でも、２つの構成要素の内部の連通によるものでも、又は２つの構成要素の相互作用関係によるものでもよい。本分野の通常の技術者は、具体的な状況に応じて、本発明における上記用語の具体的な意味を理解することができる。
【００３５】
また、特に明確な規定及び限定がない限り、第１の特徴が第２の特徴の「上」又は「下」にあるとは、第１の特徴と第２の特徴が直接接触している状態、及び第１の特徴と第２の特徴が直接接触しないものの、それらの間の他の特徴を介して接触している状態が含まれる。さらに、第１の特徴が第２の特徴の「上」、「上方」及び「上面」にあるとは、第１の特徴が第２の特徴の真上にある状態及び斜め上にある状態を含んでおり、又は単に第１の特徴の水平方向における高さが第２の特徴のそれよりも高いことを示す。 第１の特徴が第２の特徴の「下」、「下方」及び「下面」にあるとは、第１の特徴が第２の特徴の真下にある状態及び斜め下にある状態を含んでおり、又は単に第１の特徴の水平方向における高さが第２の特徴のそれよりも低いことを示す。
【００３６】
以下の開示において、本発明の異なる構造を実現するための複数の異なる実施形態又は例が提供されている。本発明の開示の簡略化のために、特定の例の構成要素及び配置について以下に説明する。明らかに、これらは例にすぎず、本発明を限定することを目的としていない。また、本発明において、異なる例で参照番号及び／又は参照文字を繰り返してもよく、このような繰り返しは簡略化及び明確化を目的としており、それ自体が所定の各々の実施形態及び／又は配置間の関係を示すものではない。さらに、本発明において、様々な特定の工程及び材料の例が提供されているが、本分野の通常の技術者であれば、他の工程の応用及び／又は他の材料の使用を意識することができる。
【００３７】
図１を参照されたい。図１は、本発明における実施形態が提供するフレキシブルディスプレイパネルの構造を示す図である。本実施形態のフレキシブルディスプレイパネル１００は、データ線１０１と、データ接続タッチライン１０２と、カメラモジュール１０３と、第１コンタクトホール１０４と、第２コンタクトホール１０５と、走査線１０６と、フリップチップ薄膜１０７と、ピクセルユニット１０８と、第１走査駆動サブチップ１０９と、第２走査駆動サブチップ２０１とを含む。
【００３８】
前記データ線１０１は、第１方向に沿って配置されており、データ信号を伝送するのに用いられる。
【００３９】
前記データ接続タッチライン１０２は、カメラモジュール１０３の周囲に配置されている。前記データ接続タッチライン１０２の一端は、第１コンタクトホール１０４を介して、前記カメラモジュール１０３の第１方向における一側のデータ線１０１に接続されている。一実施形態において、前記データ接続タッチライン１０２は、前記第１コンタクトホール１０４からカメラモジュール１０３の第１方向における一側のデータ線１０１に向かって延伸し、前記カメラモジュール１０３の第１方向における一側のデータ線１０１に電気的に接続されていてもよい。前記データ接続タッチライン１０２の他端は、前記第２コンタクトホール１０５を介して、前記カメラモジュール１０３の第１方向における他側の対応するデータ線１０１に接続されている。一実施形態において、前記データ接続タッチライン１０２は、前記第２コンタクトホール１０５からカメラモジュール１０３の第１方向における他側のデータ線１０１に向かって延伸し、前記カメラモジュール１０３の第１方向における他側のデータ線１０１に電気的に接続されていてもよい。前記データ接続タッチライン１０２により、カメラモジュール１０３の第１方向における両側のデータ信号が電気的に連結され、カメラモジュール１０３の第１方向における両側の表示領域の発光表示を実現させることができる。
【００４０】
前記走査線１０６は第２方向に沿って配置されており、前記第２方向は第１方向と互いに垂直である。前記走査線１０６は、その少なくとも一側において走査駆動チップに接続されており、フレキシブルディスプレイパネル１００の一側から他側に走査信号を供給するのに用いられる。前記カメラモジュール１０３は、第２方向における両側でそれぞれ第１走査駆動サブチップ１０９及び第２走査駆動サブチップ２０１に接続されており、前記第１走査駆動サブチップ１０９は、前記カメラモジュール１０３の第２方向における一側の走査線１０６に走査信号を供給するのに用いられる。前記第２走査駆動サブチップ２０１は、前記カメラモジュール１０３の第２方向における他側の走査線１０６に走査信号を供給するのに用いられる。第１走査駆動サブチップ１０９及び第２走査駆動サブチップ２０１により、前記カメラモジュール１０３の第２方向における両側の走査線１０６に走査信号が同時に供給される。従って、フレキシブルディスプレイパネル１００上のカメラモジュール１０３の第２方向における両側のディスプレイスイッチにオンオフ電圧が同時に供給される。
【００４１】
一実施形態において、前記フリップチップ薄膜１０７中にデータ駆動チップが封止されており、その一端はデータ線１０１に接続されており、前記データ線１０１にデータ信号を供給するのに用いられる。
【００４２】
ここで、走査駆動チップは、走査線１０６に走査信号を供給する。前記カメラモジュール１０３の第２方向における両側の第１走査駆動サブチップ１０９及び第２走査駆動サブチップ２０１は、カメラモジュール１０３の第２方向における両側の走査線１０６に走査信号を同時に供給する。前記走査線１０６上のディスプレイスイッチはオン電圧を取得し、表示動作を開始する。前記フリップチップ薄膜１０７中のデータ駆動チップは表示開始命令を取得し、データ線１０１にデータ信号を送信する。前記カメラモジュール１０３の第１方向におけるデータ線１０１はデータ接続タッチライン１０２を介して、データ信号を連結させる。データ線１０１と走査線１０６が交差することで、複数のピクセルユニット１０８が形成されている。これにより、前記フレキシブルディスプレイパネル１００の表示領域及び非表示領域における発光表示を同時に実現させることができ、フレキシブルディスプレイパネル１００の発光表示面積を増加させることができる。
【００４３】
図２を参照されたい。図２は、本発明における実施形態が提供するフレキシブルディスプレイパネルの断面図である。当該フレキシブルディスプレイパネル１００は、データ線１０１と、データ接続タッチライン１０２と、カメラモジュール１０３と、第１コンタクトホール１０４と、第２コンタクトホール１０５と、エポキシ樹脂２０２とを含む。
【００４４】
前記データ線１０１は、データ信号を送信するのに用いられる。ここでは、カメラモジュール１０３によって遮られているため、前記データ線１０１は直接カメラモジュール１０３を貫通することができず、カメラモジュール１０３の他側のデータ線１０１がデータ信号を受信できないこととなり、発光表示を行なうことができない。
【００４５】
本発明では、穿孔技術によって、カメラモジュール１０３のデータ線１０１に沿った方向の両端に、第１コンタクトホール１０４及び第２コンタクトホール１０５を形成している。前記第１コンタクトホール１０４及び第２コンタクトホール１０５の深さＨは、データ線１０１とタッチラインとの間の垂直距離に等しい。前記データ接続タッチライン１０２は、第１コンタクトホール１０４を介してデータ線１０１の方向に沿って延伸され、データ線１０１に電気的に接続される。
【００４６】
前記データ接続タッチライン１０２は、データ線１０１と電気的に接続された後、カメラモジュール１０３の一側から迂回して、カメラモジュール１０３の第１コンタクトホール１０４と対応する他側まで延伸される。第２コンタクトホール１０５を介してデータ線の方向に沿って延伸させることで、データ接続タッチライン１０２は再びデータ線１０１と電気的に接続される。これにより、データ信号がデータ接続タッチライン１０２を介してカメラモジュール１０３の一側から他側まで伝送されるようになり、カメラモジュール１０３の両側での発光表示が保証される。
【００４７】
前記データ接続タッチライン１０２の表面には薄膜層が被覆されており、当該薄膜層はデータ接続ラインに対して絶縁機能及び固定機能を賦与するものである。一実施形態において、前記薄膜層はエポキシ樹脂２０２である。当該エポキシ樹脂２０２は、優れた化学特性、強い接着力、耐熱性及び電気絶縁性等の利点を有する。
【００４８】
以上のように、本発明の提供するフレキシブルディスプレイパネル及び装置において、データ接続タッチラインがカメラモジュールを迂回してカメラモジュールの両側のデータ線に接続されることで、非表示領域での発光表示を実現することができ、フレキシブルディスプレイパネルの発光表示面積率を増加させることができる。
【００４９】
１以上の実施形態について本発明を開示及び説明したが、本分野の技術者であるならば、本明細書及び添付の図面を閲読及び理解することで、同等の変形及び変更に想到する場合がある。本発明はこれら変更及び変形を全て含み、且つ特許請求の範囲によってのみ限定される。特に、上述の構成要件のもたらす様々な機能に関して、これら構成要件を説明するための用語の意図は、たとえ本明細書中の例示的な実施形態においてその機能をもたらすものとして開示されているものと構造上異なる場合であっても、当該構成要件の指定機能をもたらすことのできる任意の構成要件(例えば、機能的に同等である)と対応付けることにある（別段の断りがない限り）。また、本明細書における特徴は既にいくつかの実施形態の内の１つについてのみ開示されているが、これら特徴は、所定の又は特定の応用において期待され及び有利である他の実施形態中の１つ又は複数の他の特徴と組み合わせることができる。さらに、用語「包含する」、「有する」、「含有する」又はその活用形が特定の実施形態又は特許請求の範囲で用いられている場合、これら用語は、用語「含む」と同様に含むことを表す。
【００５０】
以上のように、本発明はその好ましい実施形態を通じて上記において開示されたが、上述の好ましい実施形態は本発明を限定するためのものではない。本分野の通常の技術者は、本発明の趣旨及び範囲から逸脱しない限りにおいて、様々な変更及び修整を施すことができる。従って、本発明の保護範囲は、特許請求の範囲で定められた範囲を基準とする。
【図１】
2020528161.tif 000003
【図２】
2020528161.tif 000004
【国際調査報告】
2020528161.tif 000005
2020528161.tif 000006
2020528161.tif 000007
2020528161.tif 000008